(57)【要約】【課題】確実に断熱仕切板を装着することができ、所望の断熱性能を発揮する自動販売機を提供すること。【解決手段】本体キャビネット２の任意の装着位置に断熱仕切板９を装着し、複数の商品収容室に画成する自動販売機において、断熱仕切板９に固有情報を記憶した記憶手段１３を備える一方、断熱仕切板９の装着位置に記憶手段１３から固有情報を読み取る読取手段１４を備え、装着した断熱仕切板９が適正であるか否かを判断するようにした。【選択図】        図２
2005085037.tif 000002
【特許請求の範囲】
【請求項１】
本体キャビネットの任意の装着位置に断熱仕切板を装着し、複数の商品収容室に画成する自動販売機において、
前記断熱仕切板に固有情報を記憶した記憶手段を備える一方、
前記断熱仕切板の装着位置に前記記憶手段から固有情報を読み取る読取手段を備え、
装着した断熱仕切板が適正であるか否かを判断することを特徴とする自動販売機。
【請求項２】
前記記憶手段には、さらに、断熱仕切板の使用履歴情報が記憶してあり、
固有情報と使用履歴情報とにより断熱仕切板の断熱性能を算出することを特徴とする請求項１に記載の自動販売機。
【発明の詳細な説明】
【技術分野】
【０００１】
本発明は、自動販売機に関し、特に加冷商品と加温商品とを販売する自動販売機に関するものである。
【背景技術】
【０００２】
本体キャビネットの任意の装着位置に断熱仕切板を装着し、複数の商品収容室に画成する自動販売機が広く知られている。この自動販売機によれば、任意の装着位置に断熱仕切板を装着することにより、本体キャビネットを任意の複数の商品収容室に画成し、一の商品収容室に冷却商品を収容し、他の一の商品収容室に加温商品を収容できる。そして、冷却商品を収容した商品収容室には冷気を循環させ商品を冷却し、加温商品を収容した商品収容室には暖気を循環させて商品を加温する（たとえば、特許文献１参照）。この自動販売機によれば、任意の比率で本体キャビネットを複数の商品収容室に画成でき、四季折々の販売環境に応じて、販売商品の入れ替えを柔軟に行うことが可能である。
【０００３】
【特許文献１】特開平８−１４７５４７号公報
【発明の開示】
【発明が解決しようとする課題】
【０００４】
ところで、この断熱仕切板を装着せずに、自動販売機を運転した場合には、冷気と暖気とが混在し、冷却商品は冷却されず、加温商品は加温されないことになる。
【０００５】
また、本体キャビネットを複数の断熱仕切板で画成する自動販売機（たとえば、２枚の断熱仕切板で３つの商品収容室に画成する自動販売機）では、各断熱材の断熱性能を異ならしめ、効率的な運転が行うように配慮している。
【０００６】
しかしながら、このように各断熱材の断熱性能を異ならしめているにも拘わらず、断熱材の装着位置を取り違えた場合には、却って、非効率的な運転となり、所望の温度に冷却又は加温した商品を販売することができない場合が生じうる。
【０００７】
本発明は、上記実情に鑑みて、確実に断熱仕切板を装着することができ、所望の断熱性能を発揮する自動販売機を提供することを目的とする。
【課題を解決するための手段】
【０００８】
上記の目的を達成するために、本発明の請求項１に係る自動販売機は、本体キャビネットの任意の装着位置に断熱仕切板を装着し、複数の商品収容室に画成する自動販売機において、前記断熱仕切板に固有情報を記憶した記憶手段を備える一方、前記断熱仕切板の装着位置に前記記憶手段から固有情報を読み取る読取手段を備え、装着した断熱仕切板が適正であるか否かを判断することを特徴とする。
【０００９】
また、本発明の請求項２に係る自動販売機は、上記請求項１において、前記記憶手段には、さらに、断熱仕切板の使用履歴情報が記憶してあり、固有情報と使用履歴情報とにより断熱仕切板の断熱性能を算出することを特徴とする。
【発明の効果】
【００１０】
本発明にかかる自動販売機は、断熱仕切板に固有情報を記憶した記憶手段を備える一方、断熱仕切板の装着位置に記憶手段から固有情報を読み取る読取手段を備え、装着した断熱仕切板が適正であるか否かを判断するので、断熱仕切板の装着漏れを回避でき、また、複数の断熱仕切板を装着した自動販売機において、断熱仕切板を取り違えて装着することがないという効果を奏する。
【００１１】
また、記憶手段は、さらに、断熱仕切板の使用履歴情報が記憶してあり、固有情報と使用履歴情報とにより断熱仕切板の断熱性能を算出するので、断熱仕切板を効率的に交換できるという効果を奏する。
【発明を実施するための最良の形態】
【００１２】
以下に添付図面を参照して、本発明に係る自動販売機の好適な実施例を詳細に説明する。なお、この実施例によりこの発明が限定されるものではない。
【実施例】
【００１３】
図１は、本発明の実施例に係る自動販売機の概要を説明する斜視図、図２は図１に示した自動販売機の縦断側面図と、断熱仕切板とを示す図である。
【００１４】
実施例に係る自動販売機は、本体キャビネット２と、本体キャビネット２の前面開口部を閉塞するドア３とを有している。本体キャビネット２は、断熱構造を有し、上方域と下方域とに分割してある。上方域は、商品収容室４を成し、下方域は圧縮機５、凝縮器６等を配設する機械室７を成す。
【００１５】
商品収容室４には、左右方向に移動可能な複数の商品収納ラック８が配設してある。商品収納ラック８は、サーペンタイン構造のものであり、商品収納ラック８の上方部から投入した商品を収納し、販売指令により、下方部から商品を搬出できる。商品収納ラック８と商品収納ラック８との間には、断熱仕切板９が装着可能であり、任意の商品収納ラック８と商品収納ラック８との間に、断熱仕切板９を装着することにより、商品収容室４を任意の比率で複数の商品収容室９１，９２，９３に画成できる。
【００１６】
たとえば、本実施例に係る自動販売機は、３つの商品収納ラック８と２枚の断熱仕切板９を有し、左方の商品収納ラック８１（以下、左ラックという）が収容してある商品収容室９１（以下左室という）と、中央の商品収納ラック８２（以下、中ラックという）が収容してある商品収容室９２（以下中室という）と、左方の商品収納ラック８３（以下、右ラックという）が収容してある商品収容室９３（以下右室という）とに画成してある。
【００１７】
各商品収納ラック８１，８２，８３の下方部には、蒸発器１０と、ヒータ１１と、送風ファン１２とが奥方側から手前側に順次配設してあり、各商品収容室９１，９２，９３の運転環境を任意に設定し、各商品収納ラック８１，８２，８３に収納した商品を冷却又は加温できる。なお、図１に示した自動販売機は、左室９１の左ラック８１に冷却商品を収納し、中室９２の中ラック８２と右室９３の右ラック８３とには、加温商品が収納してある。
【００１８】
断熱仕切板９には、固有情報を記憶した記憶手段１３が備えてある。記憶手段１３は、たとえば、ＩＣ(Integrated Circuit）チップであり、断熱仕切板９の前縁部の高さ方向中程位置に埋設してある。また、固有情報は、断熱仕切板９の基本情報であり、たとえば、断熱仕切板９を装着する自動販売機の製造番号、断熱仕切板９の初期装着位置と、断熱仕切板９の製造年月日と、断熱仕切板９が製造後経過した日数と断熱性能との関係とが記憶してある。
【００１９】
記憶手段１３には、さらに、断熱仕切板９の使用履歴情報が記憶してある。使用履歴情報は、断熱仕切板９の断熱性能の算出に必要な情報であり、たとえば、断熱性能を補正する補正係数である劣化進行度が記憶してある。
【００２０】
一方、断熱仕切板９の装着可能位置には、記憶手段１３から固有情報を読み取る読取手段１４が備えてある。読取手段１４は、たとえば、ＩＣチップから情報を読み取るリーダライタであり、ドア３の内側面に埋設してある。
【００２１】
読取手段１４は、自動販売機の制御部（図示せず）に接続してある。制御部は、各商品収容室９１，９２，９３の運転設定情報を記憶しておく記憶部を有している。また、制御部には、各商品収容室９１，９２，９３の運転設定情報を変更する設定変更手段が接続してあり、設定変更手段から運転設定情報を入力することにより記憶部に記憶してある各商品収容室９１，９２，９３の運転設定情報を変更できる。制御部は、記憶部に記憶してある各商品収容室９１，９２，９３の運転設定情報と、読取手段１４が読み取った固有情報とに基づいて、各商品収容室９１，９２，９３の運転設定情報と断熱仕切板９の装着位置にある断熱仕切板９の装着情報とが適合しているか判断する。そして、各商品収容室９１，９２，９３の運転設定情報と断熱仕切板９の装着情報が適合していない場合には、エラーコード又は警告音等を出力し、断熱仕切板９の装着を促す。
【００２２】
また、制御部は、自動販売機の運転情報から断熱仕切板９の使用履歴情報を生成し、読取手段１４を介して、記憶手段１３の使用履歴情報を書き換えることができる。使用履歴情報の書き換えは１日に１回程度の頻度で足り、任意のタイミングで書き換える。したがって、断熱仕切板９の記憶手段１３に記憶した使用履歴情報は、日々更新され、最新のものが記憶されている。
【００２３】
制御部は、記憶手段１３に記憶した使用履歴情報と固有情報とを読み取り、この使用履歴情報と固有情報とから断熱仕切板９の断熱性能を算出できる。そして、断熱仕切板９の断熱性能が著しく劣化した場合には、エラーコード又は警告音等を出力し、断熱仕切板９の交換を促す。
【００２４】
また、制御部は、算出した断熱仕切板９の断熱性能に基づいて、各商品収容室９１，９２，９３の設定温度と、送風ファン１２の回転速度とを適正に制御できる。
【００２５】
次に、本実施例に係る自動販売機の断熱仕切板の装着位置の変更手順について説明する。なお、図３は変更前の装着位置にある断熱仕切板を示す平断面図、図４は変更後の装着位置にある断熱仕切板を示す平断面図、図５は断熱仕切板の装着位置の変更手順を示す状態変移図、図６は装着した断熱仕切板が適正であるか否かを確認する確認手順を示すフローチャートである。
【００２６】
変更前の装着位置にある断熱仕切板９は、図３に示すように、左ラック８１と中ラック８２との間と、中ラック８２と右ラック８３との間とにそれぞれ装着してあり、左ラック８１には冷却商品が収容してあり、中ラック８２と右ラック８３とには加温商品が収納してある。
【００２７】
変更後の装着位置にある断熱仕切板９は、図４に示すように、中ラック８２と右ラック８３との間に２枚装着してあり、左ラック８１と中ラック８２とには冷却商品が収容してあり、右ラック８３には加温商品が収納してある。
【００２８】
断熱仕切板９の装着位置の変更は、図５に示すように、まず、ドア３を開放して左ラック８１と中ラック８２との間に装着した断熱仕切板９を取り出し、中ラック８２を左方に移動させた後、中ラック８２と右ラック８３との間に既に装着してある断熱仕切板９と重ねて装着する。そして、ドア３を閉塞して断熱仕切板９の装着位置の変更を完了する。
【００２９】
ドア３を閉塞して、断熱仕切板９の装着位置の変更が完了すると、図６に示すように、自動販売機の制御部は、装着した断熱仕切板９が適正であるか否か確認する。すなわち、まず、制御部は、断熱仕切板９の記憶手段１３から固有情報を取得した読取手段１４の配設位置から断熱仕切板９の装着位置を検出する（ステップＳ１）。次に、制御部は、断熱仕切板９により画成した商品収容室９１，９２，９３の運転情報（冷却運転設定、加温運転設定の別）と、断熱仕切板９の記憶手段１３から取得した固有情報とを比較して適正な位置に適正な断熱仕切板９が装着してあるか判定する（ステップＳ２）。判定した結果が適正である場合（ステップＳ２：ＹＥＳ）には、装着した断熱仕切板９の確認手順を終了する。
【００３０】
一方、判定した結果が適正でない場合（ステップＳ２：ＮＯ）には、エラーコードを出力し（ステップＳ３）、断熱仕切板９の装着を促す。そして、エラーコードを出力してから所定時間（たとえば、５分間）経過しても（ステップＳ４：ＹＥＳ）判定が適正でない場合には、自動販売機の稼働を停止する（ステップＳ５）。
【００３１】
なお、適正な断熱仕切板９を装着してない場合とは、図７に示すように、断熱仕切板９を取り出したままで、装着していない場合、図８に示すように、左ラック８１に冷却商品を収納し、中ラック８２に加温商品が収納してあるにも拘わらず、左ラック８１と中ラック８２との間に断熱仕切板９を装着していない場合等である。
【００３２】
次に、本実施例に係る自動販売機の断熱仕切板９の断熱性能の算出手順について説明する。これは、断熱仕切板９の断熱性能が断熱仕切板９の温度環境に左右されることに注目したものであり、図９に示すように、断熱仕切板９の左方の商品収容室（中室９２）と右方の商品収容室（右室９３）が加温設定の場合には、断熱仕切板９の記憶手段１３に記憶した使用履歴情報である劣化進行度を増し、断熱仕切板９の左方の商品収容室と右方の商品収容室の少なくとも一方が冷却設定の場合には断熱仕切板９の断熱性能の劣化進行度を維持する。そして、断熱仕切板９の断熱性能は、記憶手段１３に記憶してある断熱仕切板９の製造年月日と、断熱仕切板９が製造後経過した日数と断熱性能との関係とから断熱性能を求めた後、劣化進行度により補正することにより、自動販売機の運転状況を加味した断熱性能が求められる。
【００３３】
次に、本実施例に係る自動販売機の断熱仕切板９の断熱性能に基づいて、商品収容室９１，９２，９３の設定温度と送風ファン１２の回転速度を適正に制御する制御手順について説明する。商品収容室９１，９２，９３の設定温度と送風ファン１２の回転速度は、求めた断熱仕切板９の断熱性能に基づいて、最適制御するものであり、たとえば、自動販売機の設置当時から断熱仕切板９の断熱性能が劣化した場合には、加温商品を収納している商品収容室の設定温度を上げるとともに、送風ファン１２の回転速度を上げるように制御する。
【００３４】
上述した実施例では、固有情報として、断熱仕切板９の初期装着位置と、断熱仕切板９の製造年月日と、製造後経過した日数と断熱性能との関係を記憶したが、固有情報はこれらの情報に限られず、たとえば、断熱仕切板９の高さ、奥行き、厚み等の寸法、断熱仕切板９のロットナンバー、断熱仕切板９の断熱材の種類等を含んでも良い。
【００３５】
また、使用履歴情報として、断熱性能を補正する補正係数である劣化進行度を記憶したが、使用履歴情報は断熱仕切板９の装着位置情報、各商品収容室９１，９２，９３の運転設定情報、各商品収容室９１，９２，９３の温度、湿度、送風ファン１２の回転時間であってもよく、これらを加味して断熱仕切板９の断熱性能を求めてもよい。
【００３６】
本発明の実施例に係る自動販売機によれば、断熱仕切板９に固有情報を記憶した記憶手段１３を備える一方、断熱仕切板９の装着位置に記憶手段１３から固有情報を読み取る読取手段１４を備え、装着した断熱仕切板９が適正であるか否かを判断するので、断熱仕切板９の装着漏れを回避でき、また、複数の断熱仕切板９を装着した自動販売機において、断熱仕切板９を取り違えて装着することがない。
【００３７】
また、記憶手段１３は、断熱仕切板９の使用履歴情報が記憶してあり、固有情報と使用履歴情報とにより断熱仕切板９の断熱性能を算出するので、断熱仕切板９を効率的に交換できる。
【産業上の利用可能性】
【００３８】
以上のように、本発明にかかる自動販売機は、冷却商品と加温商品を販売する自動販売機に有用であり、特に、断熱仕切板を任意の位置に装着し、冷却商品を収納する商品収容室と加温商品を収容する商品収容室との比率が変更可能な自動販売機に適している。
【図面の簡単な説明】
【００３９】
【図１】本発明の実施例に係る自動販売機の概要を説明する斜視図である。
【図２】図１に示した自動販売機の縦断側面図と、断熱仕切板とを示す図である。
【図３】変更前の装着位置にある断熱仕切板を示す平断面図である。
【図４】変更後の装着位置にある断熱仕切板を示す平断面図である。
【図５】断熱仕切板の装着位置の変更手順を示す状態変移図である。
【図６】装着した断熱仕切板が適正であるか否かを確認するフローチャートである。
【図７】適正な断熱仕切板を装着していない例を示す図である。
【図８】適正な断熱仕切板を装着していない例を示す図である。
【図９】断熱性能の劣化が著しい断熱仕切板の例を示す図である。
【符号の説明】
【００４０】
２    本体キャビネット
３    ドア
４    商品収容室
８    商品収納ラック
９    断熱仕切板
１２    送風ファン
１３    記憶手段
１４    読取手段
８１    左ラック（商品収納ラック）
８２    中ラック（商品収納ラック）
８３    右ラック（商品収納ラック）
９１    商品収容室（左室）
９２    商品収容室（中室）
９３    商品収容室（右室）
【図１】
2005085037.tif 000003
【図２】
2005085037.tif 000004
【図３】
2005085037.tif 000005
【図４】
2005085037.tif 000006
【図５】
2005085037.tif 000007
【図６】
2005085037.tif 000008
【図７】
2005085037.tif 000009
【図８】
2005085037.tif 000010
【図９】
2005085037.tif 000011